(57)【要約】【課題】床下空間を使用する暖房システムであって、大量の熱を必要とせず、しかも、階段の周囲に結露が発生しない暖房システムを提供する。【解決手段】建物Ｈの床２と基礎３と地面４とで囲まれた床下空間５と、この床下空間５の中に加熱した空気を放出する暖房機６とからなり、建物Ｈの床２に、床下空間５から階段８７の下に通じる通孔２１を設けた暖房システムである。【選択図】  図１
2004353897.tif 000002
【特許請求の範囲】
【請求項１】
建物の床と基礎と地面とで囲まれた略密閉された床下空間と、この床下空間の中に加熱した空気を放出する暖房機とからなり、前記建物の床には、前記床下空間から階段下に通じる通孔が設けられていることを特徴とする暖房システム。
【請求項２】
前記建物の基礎と地面には、断熱材が設けられて断熱層が形成されていることを特徴とする請求項１記載の暖房装置。
【請求項３】
前記階段下が収納部屋であることを特徴とする請求項１記載の暖房システム。
【発明の詳細な説明】
【０００１】
【発明の属する技術分野】
本発明は、床下空間を利用する暖房システムに関する。
【０００２】
【従来の技術】
従来、特許文献１に記載されているように、建物の床と基礎と地面とで囲まれた略密閉された床下空間を利用する暖房システムも知られている。
この暖房システムは、暖房装置で加熱した空気を、床に設けられた通孔から吹き出させて部屋を暖房するものである。
【０００３】
一方、特許文献２や特許文献３に記載されているように、安価な深夜電力を暖房に利用する暖房システムが知られている。
即ち、特許文献２に記載されている暖房システムは、深夜電力を使った電気ヒータで加熱された熱を床材の下に設けた蓄熱材に蓄えるのであるが、前日の床材の表面温度で深夜電力の加熱時間を制御して、床材の過熱をなくしたり、部屋内の温度が必要以上に上昇しないようにするものである。
【０００４】
又、特許文献３に記載されている暖房システムは、太陽熱と深夜電力の両方を利用する暖房装置であり、翌日の日照率を予想し、この日照率の予想で深夜電力の利用時間を制御するようにしたものである。
【０００５】
【特許文献１】
特開平１１−１９３９３６号公報
【特許文献２】
特開平５−６６０２４号公報
【特許文献３】
特開平９−１９１５７２号公報
【０００６】
【発明が解決しようとする課題】
しかし、特許文献１に記載されている暖房システムでは、暖房に使用する空気の通路を床下にしている。
従って、居室内に暖房機を設置する必要がないし、施工のコストと工数を低減できるという特徴があるが、居室全体を暖房するには、大量の熱が必要であり、この大量の熱を床下という広い場所を高温の空気を通して各部屋に供給すると、この床下の空間を断熱材で覆っても、地面と接する面積が大きいので、熱損失が大きく、熱効率が悪いという問題がある。
【０００７】
また、特許文献２に記載されている暖房システムは、安価な深夜電力を使用するので、ランニングコストが安価になるし、床材の表面温度で加熱時間を制御するので、床材の過熱がなく、部屋内の温度が必要以上に上昇せず、室内が極めて快適な環境になるが、翌日の外気条件や生活パターンの変化等によって使用する熱量は異なるので、蓄熱材に蓄えられた熱が過不足になることが多く、この蓄熱材に蓄えた熱が無駄になったり、部屋の温度が低下するという問題がある。
【０００８】
特許文献３に記載されている暖房システムでは、翌日の日照率を予測して深夜電力を制御するものであるが、翌日の日照率を予測することは極めて困難で、予測が的中すればよいが、外れることが多く、特許文献２に記載されている暖房システムと同様に、深夜電力で蓄えた熱が過不足になることがあるし、予測するための制御装置が複雑で高価になるという問題がある。
【０００９】
また、上記特許文献２及び特許文献３の暖房装置に共通する問題があるが、深夜電力で翌日分の建物内の暖房付加のすべてを行うためには、大量の蓄熱材が必要であり、この大量の蓄熱材を設置する大きな場所が必要で、不便であった。また、コンクリート等の顕熱蓄熱材で大量の熱を蓄えるためには、顕熱蓄熱材を高温に加熱する必要があるが、高温の顕熱蓄熱材から熱が外部に逃げ易く熱効率が悪くなるし電力費が高価になるし、深夜電力で稼働するヒートポンプ等で床下空間を高温にすると、外部との温度差が大きく効率が悪くなるという問題がある。
【００１０】
また、暖房システム全体の問題であるが、居室のみを暖房していると、居室以外の場所、特に、階段下等の空間は暖房されないために、暖房されて多くの湿気を含んだ居室の空気がこの居室以外の場所に流れ込んで、ここで冷やされて結露するという問題がある。
特に、階段は、下階の空間と上階の空間とを連結する場所であって、この場所を人が往復する回数が多く、人が下階または上階の居室から出て上階又は下階の居室に移動する度に、暖房され湿気を多く含んだ空気が出てこの階段の周囲の空間で冷やされ、結露するという問題の発生する危険性が多いし、階段の周囲の冷たい空気が居室に流れて、居室の空気を冷やすので、居室の暖房負担が多くなるという問題がある。
【００１１】
更に、階段下に収納部屋が設けられている場合には、この階段下の収納部屋の中に結露が発生すると、この結露が発見し難く、収納部屋の壁や、収納部屋の中に収納している物が痛んだり、収納部屋の中に黴等が発生するという問題がある。
そこで、本発明の目的は、大量の熱を必要とせず、しかも、階段の周囲に結露が発生しない暖房システムを提供するものである。
【００１２】
【課題を解決するための手段】
本発明は上記目的を達成するためになしたものであって、請求項１記載の発明は、建物の床と基礎と地面とで囲まれた略密閉された床下空間と、この床下空間の中に加熱した空気を放出する暖房機とからなり、前記建物の床には、前記床下空間から階段下に通じる通孔が設けられているものである。
【００１３】
この請求項１記載の発明においては、床下空間の中に加熱した空気を床に設けられている通孔から出して、階段下を加熱し、階段下に結露の発生を防ぐのであるが、通常、結露は早朝に発生することが多く、早朝に加熱できるようにしておけばよい。従って、長時間加熱する必要がなく、早朝に床下空間の空気を加熱しておけば十分であるが、寒い日等では、床下空間の中を温める熱量だけでは不足し、日中や夕方でも結露することがある。かかる場合には、床下空間の中に蓄熱材を設けて、大量の熱を蓄熱するようにするとよい。
【００１４】
この際、使用する蓄熱材としては顕熱蓄熱材と潜熱蓄熱材の２種類ある。
顕熱蓄熱材とは、熱容量の大きな材料をいい、温度を上げたり下げたりするのに大量の熱量を要するが、温度が下がったり上がったりする際に大量の熱量を放出するものである。即ち、大量の熱を蓄えることのできる材料である。
かかる顕熱蓄熱材としては、石やコンクリートや煉瓦等の土石類が好適である。
【００１５】
又、潜熱蓄熱材とは、暖房する温度近傍で相変化を起こし、この相変化をする際に大量の熱量を吸収したり放出するものである。即ち、この相変化近傍で極めて大量の熱を蓄えることができ、極めて便利なものである。
この相変化には、気体と液体との間の相変化や、液体と固体との間の相変化や、気体と固体との間の相変化があるが、液体と固体との間の相変化を利用すると取り扱い易いので、多く使用されている。この液体から固体に相変化することを固化といい、固体から液体に相変化することを融解といい、通常、固化する固化温度と液化する融解温度とは略同じである。
【００１６】
かかる潜熱蓄熱材としては、塩化カルシウム６水塩、硫酸ナトリウム１０水塩、酢酸ナトリウム３水塩、パラフィン類、脂肪酸エステル、脂肪族アルコール、オレフィン樹脂等がある。
これ等の潜熱蓄熱材は融解温度（固化温度）以上では液状になるので、密閉容器の中に封じ込めて使用することが好ましい。
【００１７】
特に、本発明では、蓄熱材を床下空間の中に設けるので、床下の地面にコンクリートを設けると、このコンクリートが蓄熱材になると同時に、コンクリート製の土間となるので好ましい。
請求項１記載の発明における暖房機とは、いかなる暖房機でもよい。例えば、電気ヒータで加熱する暖房機でもよいし、ヒートポンプ（圧縮式冷暖房装置）で加熱する暖房機であってもよい。
【００１８】
請求項１記載の発明では、この暖房機で加熱した熱を床下空間の中に放出するのであるが、これは、床下空間の中に暖房機を設置して、この暖房機から床下空間内に加熱した空気を放出させてもよいし、床下空間の外に暖房機を設置し、この暖房機で加熱した空気を床下空間内に放出するようにしてもよい。
また、床下空間の外に暖房機を設置し、この暖房機で媒体を加熱し、この媒体を床下空間の内部に導き、この媒体の熱で加熱した空気を床下空間の中に放出させるようにしてもよい。
【００１９】
また、請求項１記載の発明では、建物の床には、床下空間からが階段下の部屋に通ずる通孔が設けられているが、この通孔は、床下空間の中の空気をこの通孔から床下に移動させるために設けるものである。この際、この空気を階段下に移動させる手段としては、加熱した空気を対流等で自然に移動するようしてもよいし、ファン等で強制的に移動させてもよい。
【００２０】
請求項２記載の発明は、請求項１記載の発明に係り、前記建物の基礎と地面には、断熱材が設けられて断熱層が形成されているものである。
請求項２記載の発明における断熱層は基礎に設けるのであるが、この際、基礎の内側に設けてもよいし、基礎の外側に設けてもよい。
また、この断熱層は地面にも設けるが、この際、地面と断熱層の間にポリエチレンシート等の防水シートを設けていると、断熱層が濡れなく、その結果、断熱効果が低下しないので好ましい。
【００２１】
この際使用する断熱材としては、ガラスウール、ポリオレフィン樹脂発泡体、ポリウレタン樹脂発泡体、ポリスチレン発泡体等一般に使用されている断熱材が好ましい。特に、ポリスチレン発泡体が好ましい。
【００２２】
請求項３記載の発明は、請求項１記載の発明に係り、前記階段下が収納部屋であるものである。
【００２３】
（作用）
請求項１記載の発明では、建物の床と基礎と地面とで囲まれた略密閉された床下空間と、この床下空間の中に加熱した空気を放出する暖房機とからなり、前記建物の床には、前記床下空間から階段下に通じる通孔が設けられているので、加熱した空気が通孔を通って階段下に流れて行き、この階段下の空間を温める。
従って、階段下の空間が温かくなると同時に、階段の蹴込み板を通ったり踏み板を通ったり、階段の横側を通って流れ込んだ空気等で階段の周囲の空気が温められる。
【００２４】
このように階段の周囲の空気が温められるので、階段の周囲に結露が発生することがないし、居室の温められた空気が階段の周囲に流れ出ることがないし、階段の周囲の空気が流れ込んで、居室が冷やされることがなく、居室の暖房負荷が少なくなる。
また、このように、階段の周囲の空気を温めるだけであるので、暖房機で加熱するエネルギーが少なくてよい。従って、蓄熱材がなくても、階段下に結露が発生することがないが、蓄熱材を使用する場合でも、蓄熱材は少量でよいし、蓄熱材が顕熱蓄熱材である場合には、この蓄熱材を高温にする必要がなく熱効率がよい。
更に、暖房機を深夜電力で稼働するようにすると、暖房機の稼働させる電力費が安価になる。
【００２５】
請求項２記載の発明では、請求項１記載の発明に係り、前記建物の基礎と地面には、断熱材が設けられて断熱層が形成されているので、建物の床と基礎と地面で囲まれた床下空間の中の加熱された空気の熱が基礎や地面を伝って外方向に逃げる量が少なくなり、熱効率が向上する。
【００２６】
請求項３記載の発明では、請求項１記載の発明に係り、前記階段下の部屋が収納部屋であるので、階段下の収納部屋の中が温まって、ここに結露が発生しない。
従って、収納部屋の壁や、収納部屋の中に収納している物が痛むことがないし、収納部屋内に黴等が発生することもない。
【００２７】
【発明の実施の形態】
次に、本発明の実施の形態を実施例で説明する。
（実施例１）
図１は本発明の一実施例を示すもので、暖房システムで建物を暖房している状態を示す断面図である。
【００２８】
図において、１は暖房システムであり、この暖房システム１は、建物Ｈの床２と基礎３と地面４とで囲まれた床下空間５と、この床下空間５の中に熱を放出する暖房機６と、床２に設けられた通孔２１とからなる。
建物Ｈは、２階建ての建物であって、１階の居室８、２階の居室８１、階段８７と、１階の階段部屋８２、２階の階段部屋８３、階段下の収納部屋８４とからなる。
【００２９】
１階の居室８には、一部に吹き抜け８５が設けられている。そして、この居室８には、ヒートポンプ９が設けられ、この居室８を冷暖房することができるようになっている。そして、図示しない開口部が設けられていて、この開口部を通って１階の階段部屋８２に行けるようになっている。
２階の居室８１には、ヒートポンプ９１が設けられ、この居室８１を冷暖房できるようになっている。そして、図示しない開口部が設けられていて、この開口部を通って２階の階段部屋８３に行けるようになっている。
【００３０】
階段部屋８２には階段８７が設けられていて、この階段８７を通って１階から２階に、また、２階から１階に行けるようになっている。
階段８７は踏み板８７１と蹴込む板８７２とからなる。
階段下の収納部屋８４は、階段８７の下方に設けられている部屋であって、この収納部屋８４と階段８７の間には、壁板８４１が設けられて、この階段８７と壁板８４１との間に空間通路８４２が形成されている。
【００３１】
床２には、通孔２１が設けられていて、この床２の下に形成されている床下空間５からこの通孔２１を通って空間通路８４２に通じている。
基礎３は鉄筋コンクリート製であって、内側にポリスチレン樹脂発泡体の断熱材が設けられて、断熱層３１が形成されている。
地面４の上には、ポリエチレンシートの防水シート４１が敷かれ、この防水シートの上にポリスチレン樹脂発泡体の断熱材が設けられて、断熱層４２が形成されている。
【００３２】
暖房機６は、屋外機６１と屋内機６２からなるヒートポンプであって、屋外機６１は基礎３の屋外側に設けられ、屋内機６２は床下空間５の断熱材４２の上に据え付けられている。
そして、この暖房機６は、深夜電力で稼働するようになっていて、この暖房機６が稼働すると、屋内機６２から熱風が床下空間５の中に吹き出するようになっている。即ち、深夜電力で加熱した熱が床下空間５の中に放出され、この熱で床下空間５の中の空気が温められるようになっている。
【００３３】
この床下空間５は基礎３の内側に設けられている断熱層３１と、地面４に設けられている断熱層４２とで囲まれているので、この床下空間５の中に放出された熱は、外側に出難くなっている。
そして、この温められた軽い空気は、床２に設けられている通孔２１から、空気通路８４２を上昇するようになっている。
【００３４】
次に、この暖房システム１の施工方法および作用について説明する。
基礎３を設け、この基礎３の内側に断熱材を設けて、断熱層３１を形成する。
基礎３で囲まれた地面４の上には、防水シート４１を敷き、この防水シートの上に断熱材を設けて断熱層４２を形成する。
そして、この基礎３の上に建物Ｈを建てる。
【００３５】
この建物Ｈには、階段８７下に収納部屋８４を設け、収納部屋８４と階段８７の間に形成されている空気通路８４２の下側にある床２に通孔２１を設ける。
また、基礎３の内側に暖房機６の屋内機６２を設け、外側に暖房機６の屋外機６１を設け、この暖房機６を深夜電力で稼働させるようにする。
また、建物Ｈの各居室８、８１にヒートポンプ９、９１を取り付ける。
このようにして建てられた建物Ｈでは、冬期の寒い日では、各部屋８、８１のヒートポンプ９、９１や、各部屋８、８１に取り付けられた石油暖房機等の暖房機等で、各部屋８、８１を温める。
【００３６】
そして、深夜になると、暖房機６が稼働し、建物Ｈの床２１と基礎３と地面４とで囲まれた略密閉された床下空間５の空気が、暖房機６から放出された加熱された空気で温められる。この温められた空気は床下空間５から階段８７の下に通じる通孔２１を通り、空気通路８４２を上昇する。
【００３７】
すると、階段８７の下の空間が温かくなると同時に、階段８７の蹴込み板８７２や踏み板８７１が加熱され、この加熱された蹴込み板８７２や踏み板８４１によって、階段８７の上方が温かくなるし、階段８７の横側を通って流れ込む空気によって、階段８７の横方向も温かくなるというように、階段８７の周囲の空気が温められる。
また、壁板７４１が加熱され、この加熱された壁板８４１によって階段８７の下の収納部屋８４も温められる。
【００３８】
この際、階段８７の周囲が温められるのは、深夜電力で暖房機６が稼働するときから、暖房機６が停止し、温められた空気が通孔２１から出ってしまうまでで、早朝が最も高い温度に温められる。そして、階段８７の下に結露が発生するのは寒い早朝であるので、この階段８７の下や収納部屋８４に結露が発生しないのである。
【００３９】
このように、収納部屋８４に結露が発生しないので、収納部屋の壁や、収納部屋の中に収納している物が痛むことがないし、収納部屋内に黴等が発生することもない。
また、暖房機６を安価な深夜電力で稼働させるし、暖房機６で階段８７の周囲の空気を温めるだけであり、深夜電力で加熱する熱量も少なくてよいので、床下空間５を加熱する電力費が安価である。
【００４０】
また、暖房機６で階段８７の周囲の空気を温めるには少量の熱でよく、従って、床下空間５の空気の温度も比較的低くてよいし、建物Ｈの基礎３と地面４には、断熱材が設けられて断熱層３１、４２が形成されているので、建物Ｈの床２と基礎３と地面４で囲まれた床下空間５の中に蓄えられた熱が基礎３や地面４を伝って外方向に逃げる量が少なく、熱効率がよい。
【００４１】
また、階段８７の周囲の空気が温められるので、居室８、８１の温められた空気が階段の周囲に流れ出ることがないし、階段８７下の周囲の空気が居室８、８１に流れ込んで、居室８、８１が冷やされることがなく、居室８、８１の暖房負荷が少なくなる。
【００４２】
（実施例２）
図２は本発明の他の実施例を示すもので、暖房システムで建物を暖房している状態を示す断面図である。
【００４３】
この図２に示す実施例２を図１に示す実施例１と比較すると、床下空間５ａの中に蓄熱材７ａが設けられていること、暖房機６ａが深夜電力が稼働するヒーターであること、基礎２ａに小さなファン３５ａが設けられていること、収納部屋８４ａと階段８７ａの間に壁板がなく、従って、階段下の収納部屋８４ａが空気通路８４２ａとなっていることが異なる。
【００４４】
従って、この異なる点を主にして説明する。
暖房機６ａは深夜電力で稼働するヒーターである。また、床下空間５ａにはセンサー６５ａが設けられていて、このセンサー６５ａが予め設定した温度以上を感知したときに、暖房機６ａが停止するようになっている。
また、基礎２ａには、小さなファン３５ａを設け、階段８７ａ近傍の図示しない壁にスイッチを設けていて、このスイッチでファン３５ａを稼働させたり停止させたりすることができるようになっている。
【００４５】
次に、この暖房システム１ａの施工方法および作用について説明する。
基礎３ａを設け、この基礎３ａの内側に断熱材を設けて、断熱層３１ａを形成する。
基礎３ａの内側の地面４ａの上には、防水シート４１ａを敷き、この防水シートａの上に断熱材を設けて断熱層４２ａを形成させ、この上にコンクリートを打ち込んで蓄熱層７ａを設ける。
そして、この基礎３ａの上に建物Ｈａを建てる。
【００４６】
この際、この建物Ｈａの階段８７ａの下には、収納部屋８４ａを設け、収納部屋８４ａの床２ａに通孔２１ａを設ける。
また、基礎３ａの内側に暖房機６ａとセンサー６５ａを設け、この暖房機６ａを深夜電力で稼働するようにする。
また、基礎２ａに小さなファン３５ａを設け、スイッチを階段近傍の壁に設けて、このスイッチでファン３５ａを稼働させたり、停止させることができるようにする。
【００４７】
また、建物Ｈａの各居室８ａ、８１ａにヒートポンプ９ａ、９１ａを取り付ける。
このようにして建てられた建物Ｈａでは、冬期の寒い日では、各部屋８ａ、８１ａのヒートポンプ９ａ、９１ａや、各部屋８ａ、８１ａに取り付けられた石油暖房機等の暖房機等で、各部屋８ａ、８１ａを温める。
【００４８】
そして、深夜になると、暖房機６ａが稼働し、建物Ｈａの床２１ａと基礎３ａと地面４ａとで囲まれた略密閉された床下空間５ａの空気が、暖房機６ａから放出された加熱した空気で温められると同時に、蓄熱材７ａも温められ、蓄熱される。この熱で温められた空気は、床下空間５ａから階段８７ａの下に通じる通孔２１ａを通って、階段８７ａの下の収納部屋８４ａに入り、この収納部屋８４ａの中が温められる。
【００４９】
暖房機６ａの稼働が停止した後でも、床下空間５ａの温かい空気（蓄熱材７ａに蓄熱された熱で加熱される空気も含む）が階段８７ａの下の収納部屋８４ａの中の空気を温める。
従って、階段８７ａの下の収納部屋８４ａの空間が温かくなると同時に、階段８７ａの蹴込み板８７２ａや踏み板８７１ａを通って階段８７ａの上方の空気が温められるし、階段８７ａの横側を通って流れ込む空気によって、階段８７ａの横方向も温められるというように、階段８７ａの周囲の空気が温められる。
【００５０】
更に、床下空気５ａの空気の温度が低下したときには、蓄熱材７ａの熱が出るので、温められた空気が通孔２１ａを通って、長時間、階段８７ａ下の収納部屋８４ａの中に入り、１日中、この階段８７ａの下の収納部屋８４ａの中の空気が温められる。
このように階段８７ａの周囲の空気が、１日中、温められるので、収納部屋８４ａの中や階段８７ａの下に結露が発生しない。
【００５１】
そして、収納部屋８４ａに結露が発生しないので、収納部屋の壁や、収納部屋の中に収納している物が痛むことがないし、収納部屋内に黴等が発生することもない。
なお、床下空間５ａの中の空気の温度が予め設定した温度以上になると、床下空間５ａの中に設けられているセンサーが感知して暖房機６ａが停止するので、危険でない。
【００５２】
また、寒いとき等で、通孔２１ａから自然に流れ出る温かい空気だけでは、熱量が不足して結露が発生することがあるが、かかるときには、スイッチを入れてファン３５ａを稼働させて、強制的に、大量の空気を通孔２１ａから収納部屋８４ａの中に入れるようにすればよい。
このように、暖房機６ａを稼働させるのに安価な深夜電力を使用するし、暖房機６ａで階段８７ａの周囲の空気を温めるだけであるので、床下空間５ａを加熱する電力費が安価になる。
【００５３】
また、階段８７ａの周囲の空気が温められるので、居室８ａ、８１ａの温められた空気が階段の周囲に流れ出ることがないし、階段８７ａの下の周囲の空気が居室８ａ、８１ａに流れ込んで、居室８ａ、８１ａが冷やされることがなく、居室８ａ、８１ａの暖房負荷が少なくなる。
【００５４】
また、建物Ｈａの基礎３ａと地面４ａには、断熱材が設けられて断熱層３１ａ、４２ａが形成されているので、建物Ｈａの床２ａと基礎３ａと地面４ａで囲まれた床下空間５ａの中に蓄えられた熱が基礎３ａや地面４ａを伝って外方向に逃げる量が少なくなり、熱効率がよい。
【００５５】
以上、この発明の実施の形態を実施例で詳細に説明したが、具体的な構成は、この実施例に限られるものではなく、この発明の要旨を逸脱しない範囲の設計の変更等があっても、この発明に含まれる。
例えば、この実施例では２階の建物について説明したが、３階の建物であってもよい。この際には、１階の階段下の空気の通路と２階の階段下の通路とを連結すればよい。
また、実施例では、床には、階段下に通じる通孔だけを設けているが、便所等の結露し易い場所の床にも設けてもよい。
また、実施例では、暖房機を稼働させるために深夜電力を使用したが、深夜電力でなくてもよい。
【００５６】
【発明の効果】
請求項１記載の発明は、建物の床と基礎と地面とで囲まれた略密閉された床下空間と、この床下空間の中に加熱した空気を放出する暖房機とからなり、前記建物の床には、前記床下空間から階段下に通じる通孔が設けられているから、床下空間の中に放出した加熱した空気で、階段の周囲に結露が発生しなくなるし、居室の温められた空気が階段の周囲に流れ出ることがなくなるし、階段の周囲の空気が流れ込んで、居室が冷やされることがなく、居室の暖房負担が軽くなる。
【００５７】
請求項２記載の発明は、請求項１記載の発明に係り、前記建物の基礎と地面には、断熱材が設けられて断熱層が形成されているから、建物の床と基礎と地面で囲まれた床下空間の中に蓄えられた熱が基礎や地面を伝って外方向に逃げる量が少なくなり、熱効率が向上する。
【００５８】
請求項３記載の発明は、請求項１記載の発明に係り、前記階段下の部屋が収納部屋であるから、階段下の収納部屋内が温まって、ここに結露が発生せず、収納部屋の壁や、収納部屋の中に収納している物が痛まないし、収納部屋内に黴等の発生がない。
【図面の簡単な説明】
【図１】本発明の一実施例を示すもので、暖房システムで建物を暖房している状態を示す断面図である。
【図２】本発明の他の実施例を示すもので、暖房システムで建物を暖房している状態を示す断面図である。
【符号の説明】
１、１ａ          暖房システム
２、２ａ          床
２１、２１ａ      床の通孔
３、３ａ          基礎
３１、３１ａ      断熱層
４、４ａ          地面
４２、４２ａ      断熱層
５、５ａ          床下空間
６、６ａ          暖房機
７ａ              蓄熱材
【図１】
2004353897.tif 000003
【図２】
2004353897.tif 000004